(57)【要約】【課題】エンジン（1）のオイルレベル検出装置（10）の構成を複雑にすることなく、オイルレベルを正確に測定できるようにする。【解決手段】液面センサ（11）を、オイルパン（3）の底面にエンジン（1）のクランクシャフトやフライホイールのような可動金属部（7）と干渉せずに装着され、エンジンオイルの液面高さを直接に計測する静電容量式液面センサにする。液面センサ（11）の上端部には、エンジン（1）の可動金属部（7）が近接したときに、その可動金属部（7）により液面高さの誤検知を防止するキャップ状の絶縁性部材（12）を装着する。【選択図】図１
2016205328.tif 000002
【特許請求の範囲】
【請求項１】
エンジン（1）のクランク室（2）の下部に設けられたオイルパン（3）に貯留するエンジンオイルの液面高さを検出する液面センサ（11）を備えたエンジン（1）のオイルレベル検出装置であって、
上記液面センサ（11）は、上記オイルパン（3）の底面にエンジン（1）の可動金属部（7）と干渉しないように装着されてエンジンオイルの液面高さを直接に計測するセンサであることを特徴とするエンジン（1）のオイルレベル検出装置。
【請求項２】
請求項１において、
上記液面センサ（11）は、１つの静電容量式液面センサ（11）であり、
該液面センサ（11）の一部には、該液面センサ（11）に上記エンジン（1）の可動金属部（7）が近接したときに該可動金属部（7）により液面高さの誤検知が生じるのを防止するための絶縁性部材（12）が装着されていることを特徴とするエンジン（1）のオイルレベル検出装置。
【請求項３】
請求項２において、
上記絶縁性部材（12）は、上記液面センサ（11）の上端部に装着されるようにキャップ状に形成されていることを特徴とするエンジン（1）のオイルレベル検出装置。
【請求項４】
請求項１において、
上記液面センサ（11）は、それぞれが異なる液面高さを測定する複数の液面センサ（11a,11b,11c,…11n）であることを特徴とするエンジン（1）のオイルレベル検出装置。
【発明の詳細な説明】
【技術分野】
【０００１】
本発明は、エンジンオイルの液面高さを検出するオイルレベル検出装置に関するものである。
【背景技術】
【０００２】
従来、エンジンオイルの液面高さを検出する装置として、エンジンと別置きの液面センサを設けてその液面センサをエンジンのオイルパンと連通管で接続し、この液面センサでエンジンオイルの液面高さを測定するようにしたものがある（例えば、特許文献１参照）。この特許文献１の装置では、オイルパンには制御弁を介してオイルタンクが接続されており、液面センサで測定したオイルレベル（液面高さ）に応じて上記制御弁を開閉してオイルタンクとオイルパンの間の油の流出入を制御し、オイルパンのオイルレベルを調整するようにしている。
【０００３】
ここで、上記従来の構成では、オイルの温度が低下して粘度が高くなった場合には、液面センサで測定されるオイルレベルがオイルパンの実際のオイルレベルの変化に追従しにくくなり、正確なオイルレベルを測定しにくくなる問題がある。
【先行技術文献】
【特許文献】
【０００４】
【特許文献１】特開２００６−０４６１５３号公報
【発明の概要】
【発明が解決しようとする課題】
【０００５】
そこで、特許文献１の装置では、連通管でオイルを加熱することで液面センサのオイルレベルとオイルパンのオイルレベルとを実質的に一致させるようにし、液面高さの検出を安定させるようにしている。しかし、このようにすると、加熱機構が必要になるなど、構成が複雑になる問題がある。
【０００６】
本発明は、このような問題点に鑑みてなされたものであり、その目的は、エンジンのオイルレベル検出装置の構成を複雑にすることなく、オイルレベルを正確に測定できるようにすることである。
【課題を解決するための手段】
【０００７】
第１の発明は、エンジン（1）のクランク室（2）の下部に設けられたオイルパン（3）に貯留するエンジンオイルの液面高さを検出する液面センサ（11）を備えたエンジン（1）のオイルレベル検出装置を前提としている。
【０００８】
そして、このエンジン（1）のオイルレベル検出装置は、上記液面センサ（11）が、上記オイルパン（3）の底面にエンジン（1）の可動金属部（7）と干渉しないように装着されてエンジンオイルの液面高さを直接に計測するセンサであることを特徴としている。
【０００９】
この第１の発明では、エンジンオイルの液面高さがオイルパン（3）上で直接に測定される。
【００１０】
第２の発明は、第１の発明において、上記液面センサ（11）が、１つの静電容量式液面センサ（11）であり、該液面センサ（11）の一部には、該液面センサ（11）に上記エンジン（1）の可動金属部（7）が近接したときに該可動金属部（7）により液面高さの誤検知が生じるのを防止するための絶縁性部材（12）が装着されていることを特徴としている。
【００１１】
第３の発明は、第２の発明において、上記絶縁性部材（12）が、上記液面センサ（11）の上端部に装着されるようにキャップ状に形成されていることを特徴としている。
【００１２】
この第２，第３の発明では、静電容量式液面センサ（11）を用いてオイルパン（3）の上でエンジンオイルの液面を直接に測定できるとともに、絶縁性部材（12）を設けたことにより液面高さの誤検知を防止できる。
【００１３】
第４の発明は、第１の発明において、上記液面センサ（11）が、それぞれが異なる液面高さを測定する複数の液面センサ（11a,11b,11c,…11n）を含んでいることを特徴としている。
【００１４】
この第４の発明では、複数の液面センサ（11a,11b,11c,…11n）を用いてエンジンオイルの液面をオイルパン（3）の上で直接に測定できる。
【発明の効果】
【００１５】
本発明によれば、エンジン（1）のオイルパン（3）に液面センサ（11）を取り付けてエンジンオイルの液面高さを直接に測定するようにしているので、エンジン（1）の外部の液面センサ（11）を連通管でオイルパン（3）と接続していた従来の装置と比べて構成が簡単であり、しかも液面高さの測定中にエンジンオイルを加熱しなくてもオイルレベルを正確に測定できる。
【００１６】
上記第２，第３の発明によれば、静電容量式の液面センサ（11）を用い、その一部に絶縁性部材（12）を装着しているので、液面センサ（11）による液面高さの誤検知を簡単な構成で防止できる。
【００１７】
上記第４の発明によれば、複数の液面センサ（11a,11b,11c,…11n）を用いてエンジンオイルの液面をオイルパン（3）の上で直接に測定できるので、第１の発明と同様にエンジン（1）の外部の液面センサ（11）を連通管でオイルパン（3）と接続していた従来の装置と比べて構成が簡単であり、しかも液面高さの測定中にエンジンオイルを加熱しなくてもオイルレベルを正確に測定できる。
【図面の簡単な説明】
【００１８】
【図１】図１（Ａ）は、実施形態１に係るエンジンのオイルレベル検出装置の構造を示す概略断面図、図１（Ｂ）は図１のＢ−Ｂ線断面図である。
【図２】図２（Ａ）は、液面センサに装着された絶縁性部材の側面図、図２（Ｂ）は平面図、図２（Ｃ）は斜視図である。
【図３】図３は、図１の液面センサをエンジンに適用した制御回路の回路図である。
【図４】図４は、他の実施形態に係るオイルレベル検出装置の制御回路の回路図である。
【発明を実施するための形態】
【００１９】
以下、本発明の実施形態を図面に基づいて詳細に説明する。
【００２０】
この実施形態は、環境試験に用いる定置用エンジン（1）のエンジンオイルの液面高さを検出するオイルレベル検出装置に関するものである。
【００２１】
図１（Ａ）に示すように、このオイルレベル検出装置（10）が適用されているエンジン（1）は、クランク室（2）の下部にオイルパン（3）を有している。上記エンジン（1）は、クランクシャフト（4）、コネクティングロッド（5）、ピストン（6）等を有している。そして、本実施形態のオイルレベル検出装置は、オイルパン（3）に貯留するエンジンオイルの液面高さを直接に検出する液面センサ（11）を備えている。
【００２２】
上記液面センサ（11）は、棒状ないし線状のセンサであり、詳細は図示していないが、ナットなどの締結部材を用いてオイルパン（3）の底面に装着され、装着部にはシールが施されている。また、図１（Ａ）のＢ−Ｂ線断面図である図１（Ｂ）に示すように、上記液面センサ（11）は、クランクシャフトやフライホイールのようなエンジン（1）の可動金属部（7）と干渉しないように位置が決められている。上記液面センサ（11）は、静電容量式の１つの液面センサ（11）であって、エンジンオイルの変化する液面高さを直接に計測するセンサである。
【００２３】
液面センサ（11）の一部には、上記エンジン（1）の可動金属部（7）が近接したときに、該可動金属部（7）をエンジンオイルと誤検知してしまうのを防止するための絶縁性部材（12）が装着されている。上記絶縁性部材（12）は、具体的には図２（Ａ）〜図２（Ｃ）に示すように、上記液面センサ（11）の上端部に装着されるようにキャップ状に形成されている。絶縁性部材（12）は、具体的には、天板部（13）と、天板部（13）の周縁部において相対する位置に形成された脚部（14）とを有し、天板部（13）と脚部（14）とが一体に形成されている。絶縁性部材（12）は、ＰＴＦＥ（ポリテトラフルオロエチレン）により形成されている。この絶縁性部材（12）は、脚部（14）がエンジン（1）の可動金属部（7）と液面センサ（11）の間に介在するように該液面センサ（11）に装着されている。このことにより、液面高さの誤検知が防止されるようになっている。
【００２４】
図３は、この液面センサ（11）をエンジン（1）に適用した制御回路の回路図である。
【００２５】
図３において、エンジン（1）は循環回路（20）を介して油温調節装置（21）と接続され、オイルパン（3）には温度センサ（15）が設けられている。循環回路（20）には、該循環回路（20）でエンジンオイルを循環させる循環ポンプ（22）が接続されている。循環回路（20）には、循環ポンプ（22）と並列の回路に調整タンク（23）が接続されている。循環ポンプ（22）の吸入側に接続された第１通路（24）には第１開閉弁（25）が設けられている。また、循環ポンプ（22）の吐出側に接続された第２通路（26）には第２開閉弁（27）が設けられている。
【００２６】
この制御回路には、コントローラ（30）が接続されている。コントローラ（30）は、液面センサ（11）、温度センサ（15）、油温調節装置（21）、第１開閉弁（25）、及び第２開閉弁（27）と接続されている。コントローラ（30）は、液面センサ（11）や温度センサ（15）からの入力に応じて、油温調節装置（21）、第１開閉弁（25）、及び第２開閉弁（27）を制御する。
【００２７】
−運転動作−
上記制御回路では、エンジンオイルの温度を一定にする制御が行われる。具体的には、エンジンオイルの温度を温度センサ（15）で測定し、その測定値がコントローラ（30）に入力されて、該コントローラ（30）により油温調節装置（21）を制御して油温が調整される。
【００２８】
また、上記制御回路では、液面センサ（11）の情報をコントローラ（30）が受信し、該コントローラ（30）で調整タンク（23）の中のエンジンオイルを使ってオイルレベルを調整する。具体的には、エンジン（1）内のエンジンオイルの液面が設定レベルよりも低い場合は、第１開閉弁（25）を開いて第２開閉弁（27）を閉鎖して、調整タンク（23）のエンジンオイルをエンジン（1）のオイルパン（3）に供給する。また、エンジン（1）内のエンジンオイルの液面が設定レベルよりも高い場合は、第２開閉弁（27）を開いて第１開閉弁（25）を閉鎖して、循環回路（20）を循環するエンジンオイルを第２通路（26）に分岐させて調整タンク（23）に回収することにより、オイルパン（3）のエンジンオイルの液面高さを低下させる。以上の制御を行う間、循環回路（20）では常にエンジンオイルが循環している。
【００２９】
−実施形態の効果−
以上説明したように、本実施形態によれば、エンジン（1）のオイルパン（3）に液面センサ（11）を取り付けてエンジンオイルの液面高さを直接に測定するようにしているので、エンジン（1）の外部の液面センサ（11）を連通管でオイルパン（3）と接続していた従来の装置と比べてオイルレベル検出装置（10）の構成が簡単であり、しかも液面高さの測定中にエンジンオイルを加熱しなくてもオイルレベルを正確に測定できる。
【００３０】
また、本実施形態では、静電容量式の液面センサ（11）を用い、その上部にキャップ状の絶縁性部材（12）を装着しているので、センサが誤検知するのを簡単な構成で防止できる。特に、絶縁性部材（12）に脚部（14）を設け、液面センサ（11）と上記可動金属部材（7）の間に介在させるようにしているので、簡単な構成で誤検知を防止できる。
【００３１】
《その他の実施形態》
上記実施形態については、以下のような構成としてもよい。
【００３２】
例えば、上記実施形態における液面センサ（11）の構成を図４に示すように変更してもよい。
【００３３】
この図４の例では、上記液面センサ（11）として、それぞれが異なる液面高さを測定する複数の液面センサ（11a,11b,11c,…11n）を用いている。この液面センサ（11）としては、例えば上端部にフロートを有するセンサを用いてもよいし、他の形式のセンサを用いてもよい。
【００３４】
このように構成すると、液面センサ（11a,11b,11c,…11n）の数は上記実施形態より増えるものの、上記実施形態と同様にエンジン（1）のオイルパン（3）に液面センサ（11）を取り付けてエンジンオイルの液面高さを直接に測定することにより、エンジン（1）の外部の液面センサ（11）を連通管でオイルパン（3）と接続していた従来の装置と比べて構成を簡単にすることができる。また、液面高さの測定中にエンジンオイルを加熱しなくてもオイルレベルを正確に測定できる効果を得られる点も、上記実施形態と同様である。
【００３５】
なお、以上の実施形態は、本質的に好ましい例示であって、本発明、その適用物、あるいはその用途の範囲を制限することを意図するものではない。
【産業上の利用可能性】
【００３６】
以上説明したように、本発明は、エンジンオイルの液面高さを検出するオイルレベル検出装置について有用である。
【符号の説明】
【００３７】
1   エンジン
2   クランク室
3   オイルパン
7   可動金属部
10  オイルレベル検出装置
11  静電容量式液面センサ
12  絶縁性部材
【図１】
2016205328.tif 000003
【図２】
2016205328.tif 000004
【図３】
2016205328.tif 000005
【図４】
2016205328.tif 000006
【手続補正書】
【提出日】平成28年7月14日(2016.7.14)
【手続補正１】
【補正対象書類名】明細書
【補正対象項目名】全文
【補正方法】変更
【補正の内容】
【発明の詳細な説明】
【技術分野】
【０００１】
本発明は、エンジンオイルの液面高さを検出するオイルレベル検出装置に関するものである。
【背景技術】
【０００２】
従来、エンジンオイルの液面高さを検出する装置として、エンジンと別置きの液面センサを設けてその液面センサをエンジンのオイルパンと連通管で接続し、この液面センサでエンジンオイルの液面高さを測定するようにしたものがある（例えば、特許文献１参照）。この特許文献１の装置では、オイルパンには制御弁を介してオイルタンクが接続されており、液面センサで測定したオイルレベル（液面高さ）に応じて上記制御弁を開閉してオイルタンクとオイルパンの間の油の流出入を制御し、オイルパンのオイルレベルを調整するようにしている。
【０００３】
ここで、上記従来の構成では、オイルの温度が低下して粘度が高くなった場合には、液面センサで測定されるオイルレベルがオイルパンの実際のオイルレベルの変化に追従しにくくなり、正確なオイルレベルを測定しにくくなる問題がある。
【先行技術文献】
【特許文献】
【０００４】
【特許文献１】特開２００６−０４６１５３号公報
【発明の概要】
【発明が解決しようとする課題】
【０００５】
そこで、特許文献１の装置では、連通管でオイルを加熱することで液面センサのオイルレベルとオイルパンのオイルレベルとを実質的に一致させるようにし、液面高さの検出を安定させるようにしている。しかし、このようにすると、加熱機構が必要になるなど、構成が複雑になる問題がある。
【０００６】
本発明は、このような問題点に鑑みてなされたものであり、その目的は、エンジンのオイルレベル検出装置の構成を複雑にすることなく、オイルレベルを正確に測定できるようにすることである。
【課題を解決するための手段】
【０００７】
第１の発明は、エンジン（1）のクランク室（2）の下部に設けられたオイルパン（3）に貯留するエンジンオイルの液面高さを検出する液面センサ（11）を備えたエンジン（1）のオイルレベル検出装置を前提としている。
【０００８】
そして、このエンジン（1）のオイルレベル検出装置では、上記液面センサ（11）が、上記オイルパン（3）の底面にエンジン（1）の可動金属部（7）と干渉しないように装着されてエンジンオイルの液面高さを直接に計測するセンサである。
【０００９】
この第１の発明では、エンジンオイルの液面高さがオイルパン（3）上で直接に測定される。
【００１０】
また、第１の発明では、上記液面センサ（11）が、１つの静電容量式液面センサ（11）であり、該液面センサ（11）の一部には、該液面センサ（11）に上記エンジン（1）の可動金属部（7）が近接したときに該可動金属部（7）により液面高さの誤検知が生じるのを防止するための絶縁性部材（12）が装着されている。
【００１１】
また、第１の発明では、上記絶縁性部材（12）が、上記液面センサ（11）の上端部に装着されるように該液面センサ（11）よりも直径の大きなキャップ状に形成されている。
【００１２】
この第１の発明では、静電容量式液面センサ（11）を用いてオイルパン（3）の上でエンジンオイルの液面を直接に測定できるとともに、絶縁性部材（12）を設けたことにより液面高さの誤検知を防止できる。
【００１３】
第２の発明は、第１の発明において、上記液面センサ（11）が、それぞれが異なる液面高さを測定する複数の液面センサ（11a,11b,11c,…11n）を含んでいることを特徴としている。
【００１４】
この第２の発明では、複数の液面センサ（11a,11b,11c,…11n）を用いてエンジンオイルの液面をオイルパン（3）の上で直接に測定できる。
【発明の効果】
【００１５】
本発明によれば、エンジン（1）のオイルパン（3）に液面センサ（11）を取り付けてエンジンオイルの液面高さを直接に測定するようにしているので、エンジン（1）の外部の液面センサ（11）を連通管でオイルパン（3）と接続していた従来の装置と比べて構成が簡単であり、しかも液面高さの測定中にエンジンオイルを加熱しなくてもオイルレベルを正確に測定できる。
【００１６】
また、本発明によれば、静電容量式の液面センサ（11）を用い、その一部に絶縁性部材（12）を装着しているので、液面センサ（11）による液面高さの誤検知を簡単な構成で防止できる。
【００１７】
上記第２の発明によれば、複数の液面センサ（11a,11b,11c,…11n）を用いてエンジンオイルの液面をオイルパン（3）の上で直接に測定できるので、第１の発明と同様にエンジン（1）の外部の液面センサ（11）を連通管でオイルパン（3）と接続していた従来の装置と比べて構成が簡単であり、しかも液面高さの測定中にエンジンオイルを加熱しなくてもオイルレベルを正確に測定できる。
【図面の簡単な説明】
【００１８】
【図１】図１（Ａ）は、実施形態１に係るエンジンのオイルレベル検出装置の構造を示す概略断面図、図１（Ｂ）は図１のＢ−Ｂ線断面図である。
【図２】図２（Ａ）は、液面センサに装着された絶縁性部材の側面図、図２（Ｂ）は平面図、図２（Ｃ）は斜視図である。
【図３】図３は、図１の液面センサをエンジンに適用した制御回路の回路図である。
【図４】図４は、他の実施形態に係るオイルレベル検出装置の制御回路の回路図である。
【発明を実施するための形態】
【００１９】
以下、本発明の実施形態を図面に基づいて詳細に説明する。
【００２０】
この実施形態は、環境試験に用いる定置用エンジン（1）のエンジンオイルの液面高さを検出するオイルレベル検出装置に関するものである。
【００２１】
図１（Ａ）に示すように、このオイルレベル検出装置（10）が適用されているエンジン（1）は、クランク室（2）の下部にオイルパン（3）を有している。上記エンジン（1）は、クランクシャフト（4）、コネクティングロッド（5）、ピストン（6）等を有している。そして、本実施形態のオイルレベル検出装置は、オイルパン（3）に貯留するエンジンオイルの液面高さを直接に検出する液面センサ（11）を備えている。
【００２２】
上記液面センサ（11）は、棒状ないし線状のセンサであり、詳細は図示していないが、ナットなどの締結部材を用いてオイルパン（3）の底面に装着され、装着部にはシールが施されている。また、図１（Ａ）のＢ−Ｂ線断面図である図１（Ｂ）に示すように、上記液面センサ（11）は、クランクシャフトやフライホイールのようなエンジン（1）の可動金属部（7）と干渉しないように位置が決められている。上記液面センサ（11）は、静電容量式の１つの液面センサ（11）であって、エンジンオイルの変化する液面高さを直接に計測するセンサである。
【００２３】
液面センサ（11）の一部には、上記エンジン（1）の可動金属部（7）が近接したときに、該可動金属部（7）をエンジンオイルと誤検知してしまうのを防止するための絶縁性部材（12）が装着されている。上記絶縁性部材（12）は、具体的には図２（Ａ）〜図２（Ｃ）に示すように、上記液面センサ（11）の上端部に装着されるようにキャップ状に形成されている。絶縁性部材（12）は、具体的には、天板部（13）と、天板部（13）の周縁部において相対する位置に形成された脚部（14）とを有し、天板部（13）と脚部（14）とが一体に形成されている。絶縁性部材（12）は、ＰＴＦＥ（ポリテトラフルオロエチレン）により形成されている。この絶縁性部材（12）は、脚部（14）がエンジン（1）の可動金属部（7）と液面センサ（11）の間に介在するように該液面センサ（11）に装着されている。このことにより、液面高さの誤検知が防止されるようになっている。
【００２４】
図３は、この液面センサ（11）をエンジン（1）に適用した制御回路の回路図である。
【００２５】
図３において、エンジン（1）は循環回路（20）を介して油温調節装置（21）と接続され、オイルパン（3）には温度センサ（15）が設けられている。循環回路（20）には、該循環回路（20）でエンジンオイルを循環させる循環ポンプ（22）が接続されている。循環回路（20）には、循環ポンプ（22）と並列の回路に調整タンク（23）が接続されている。循環ポンプ（22）の吸入側に接続された第１通路（24）には第１開閉弁（25）が設けられている。また、循環ポンプ（22）の吐出側に接続された第２通路（26）には第２開閉弁（27）が設けられている。
【００２６】
この制御回路には、コントローラ（30）が接続されている。コントローラ（30）は、液面センサ（11）、温度センサ（15）、油温調節装置（21）、第１開閉弁（25）、及び第２開閉弁（27）と接続されている。コントローラ（30）は、液面センサ（11）や温度センサ（15）からの入力に応じて、油温調節装置（21）、第１開閉弁（25）、及び第２開閉弁（27）を制御する。
【００２７】
−運転動作−
上記制御回路では、エンジンオイルの温度を一定にする制御が行われる。具体的には、エンジンオイルの温度を温度センサ（15）で測定し、その測定値がコントローラ（30）に入力されて、該コントローラ（30）により油温調節装置（21）を制御して油温が調整される。
【００２８】
また、上記制御回路では、液面センサ（11）の情報をコントローラ（30）が受信し、該コントローラ（30）で調整タンク（23）の中のエンジンオイルを使ってオイルレベルを調整する。具体的には、エンジン（1）内のエンジンオイルの液面が設定レベルよりも低い場合は、第１開閉弁（25）を開いて第２開閉弁（27）を閉鎖して、調整タンク（23）のエンジンオイルをエンジン（1）のオイルパン（3）に供給する。また、エンジン（1）内のエンジンオイルの液面が設定レベルよりも高い場合は、第２開閉弁（27）を開いて第１開閉弁（25）を閉鎖して、循環回路（20）を循環するエンジンオイルを第２通路（26）に分岐させて調整タンク（23）に回収することにより、オイルパン（3）のエンジンオイルの液面高さを低下させる。以上の制御を行う間、循環回路（20）では常にエンジンオイルが循環している。
【００２９】
−実施形態の効果−
以上説明したように、本実施形態によれば、エンジン（1）のオイルパン（3）に液面センサ（11）を取り付けてエンジンオイルの液面高さを直接に測定するようにしているので、エンジン（1）の外部の液面センサ（11）を連通管でオイルパン（3）と接続していた従来の装置と比べてオイルレベル検出装置（10）の構成が簡単であり、しかも液面高さの測定中にエンジンオイルを加熱しなくてもオイルレベルを正確に測定できる。
【００３０】
また、本実施形態では、静電容量式の液面センサ（11）を用い、その上部にキャップ状の絶縁性部材（12）を装着しているので、センサが誤検知するのを簡単な構成で防止できる。特に、絶縁性部材（12）に脚部（14）を設け、液面センサ（11）と上記可動金属部材（7）の間に介在させるようにしているので、簡単な構成で誤検知を防止できる。
【００３１】
《その他の実施形態》
上記実施形態については、以下のような構成としてもよい。
【００３２】
例えば、上記実施形態における液面センサ（11）の構成を図４に示すように変更してもよい。
【００３３】
この図４の例では、上記液面センサ（11）として、それぞれが異なる液面高さを測定する複数の液面センサ（11a,11b,11c,…11n）を用いている。この液面センサ（11）としては、例えば上端部にフロートを有するセンサを用いてもよいし、他の形式のセンサを用いてもよい。
【００３４】
このように構成すると、液面センサ（11a,11b,11c,…11n）の数は上記実施形態より増えるものの、上記実施形態と同様にエンジン（1）のオイルパン（3）に液面センサ（11）を取り付けてエンジンオイルの液面高さを直接に測定することにより、エンジン（1）の外部の液面センサ（11）を連通管でオイルパン（3）と接続していた従来の装置と比べて構成を簡単にすることができる。また、液面高さの測定中にエンジンオイルを加熱しなくてもオイルレベルを正確に測定できる効果を得られる点も、上記実施形態と同様である。
【００３５】
なお、以上の実施形態は、本質的に好ましい例示であって、本発明、その適用物、あるいはその用途の範囲を制限することを意図するものではない。
【産業上の利用可能性】
【００３６】
以上説明したように、本発明は、エンジンオイルの液面高さを検出するオイルレベル検出装置について有用である。
【符号の説明】
【００３７】
1   エンジン
2   クランク室
3   オイルパン
7   可動金属部
10  オイルレベル検出装置
11  静電容量式液面センサ
12  絶縁性部材
【手続補正２】
【補正対象書類名】特許請求の範囲
【補正対象項目名】全文
【補正方法】変更
【補正の内容】
【特許請求の範囲】
【請求項１】
エンジン（1）のクランク室（2）の下部に設けられたオイルパン（3）に貯留するエンジンオイルの液面高さを検出する液面センサ（11）を備えたエンジン（1）のオイルレベル検出装置であって、
上記液面センサ（11）は、上記オイルパン（3）の底面にエンジン（1）の可動金属部（7）と干渉しないように装着されてエンジンオイルの液面高さを直接に計測するセンサであり、
上記液面センサ（11）は、１つの静電容量式液面センサ（11）であり、
該液面センサ（11）の一部には、該液面センサ（11）に上記エンジン（1）の可動金属部（7）が近接したときに該可動金属部（7）により液面高さの誤検知が生じるのを防止するための絶縁性部材（12）が装着され、
上記絶縁性部材（12）は、上記液面センサ（11）の上端部に装着されるように該液面センサ（11）よりも直径の大きなキャップ状に形成されていることを特徴とするエンジン（1）のオイルレベル検出装置。
【請求項２】
請求項１において、
上記液面センサ（11）は、それぞれが異なる液面高さを測定する複数の液面センサ（11a,11b,11c,…11n）であることを特徴とするエンジン（1）のオイルレベル検出装置。